(57)【要約】【課題】  従来の技術では、全体としてぶ厚く、重く、通気性や可撓性に劣るため、着装時に違和感や負担感があり、一般生活の中に導入し難いという問題点があった。これは単位となる素材の耐刃性が不十分なため素材を重層して用いる必要があったからである。【解決手段】  本発明は金属素材の繊維を使用した第１の織物と第２の織物とを強固に接着した。第１の織物で刃物による切断を防止し、第１の織物と第２の織物が接着されたことで刃物の突入を防止する。これにより薄く軽量な防刃素材を実現できる。【選択図】なし【特許請求の範囲】
【請求項１】
金属線からなるメッシュと布とを接着してなる構造材
【請求項２】
金属線の直径が０．０５ｍｍ以上である綾織りステンレス金網をメッシュとして用いることを特徴とする請求項１記載の構造材。
【発明の詳細な説明】
【技術分野】
【００１】  本発明は防刃性を有する構造材に関する。
【背景技術】
【００２】  従来の防刃材として、例えば特許文献１では布厚９ｍｍの例や構成の１部として５ｍｍ厚のクッションを最外部・身体側に使用する例を開示している。また、特許文献２では芳香族ポリアミド系繊維を３０枚重ねたり、樹脂板や金属板を使用して積層厚さ８ｍｍ、重量１Ｋｇの例が開示されている。特許文献３によれば、アイスピックによる刺突では芳香族ポリアミド繊維織物では２０層まで貫通するとされ、これ以上の重層を要するので、厚く重くなる。さらに、市販の防刃衣はＦＲＰ板で構成していて、重さ１．３Ｋｇ、厚さ約１０ｍｍのものが存在する。【００３】
【特許文献１】特開２００５−１９４６７７
【特許文献２】特開平１０−８９８９８
【特許文献３】特開平４−１４２７７
【発明の表示】
【発明が解決しようとする課題】
【００４】  防刃衣は着装時に違和感あるいは負担感が無いよう、軽量で柔軟かつ薄手であることが望ましい。しかし以上に述べた従来の技術では全体としてぶ厚く、重く、可撓性に劣る防刃衣しか実現できないため、着装時に違和感や負担感があり、運動機能が低下する。また通気性に劣り、気温の高い環境では使用し難い。このような理由で、一般生活の中に導入し難いという問題点があった。
【００５】  本発明ではこのような問題点の解決を図るため、薄く、軽量かつ可撓性を備えた防刃構造を実現することを目的とする。
【課題を解決するための手段】
【００６】  刃物による傷害を防止する防刃具は着衣とともに用いるので、屈曲性が望まれる。屈曲性をそなえた素材としては、繊維を組み合わせた織物が考えられる。しかし通常の織物では、その素材が有機物の糸でも金属線でも、刃物やアイスピック、千枚通しなど先鋭な物体（以下では刃物と略称する）が織物を通過して、それを着用した人体にまで達して傷害する。
その貫通メカニズムは、（１）刃物が織物素材を破壊して隙間を作り、その部分を通過するケースと、（２）刃物が織物素材をかきわけて隙間を作り、その隙間を通過するケースとがある。これらを防止すれば、防刃性の材料を実現できる。刃の先端がメッシュを突き抜けるのを防止するには、上記の（１）、（２）が生起することを防止すればよい。
（１）のケースでは刃先が素材を切断する場合と、刃物先端のテーパ部が隙間に入って押し広げ、その力が素材の抗張力を超えて破断する場合がある。これを防止するためケブラーなど高強度の素材が用いられていたが、単独では刺突にも切断にも耐えられない。
（２）のケースの防止には素材を密にするか、あるいは硬化剤で固化するかの対策が考えられる。しかし密な織物や固化処理した織物は通気性や可撓性に劣り、また厚みが増して着装時に運動が困難になる。
金属細線からなるメッシュはそれ自身が軽量、柔軟、薄手で、かつ通気性に優れる。しかしメッシュは上記のように、例えば千枚通しによる刺突では、刺突初期に先端のテーパ部分がメッシュの素材である細線に横ずれの力を及ぼし、線材にずれを生ぜしめて隙間をつくり、その隙間から侵入するため、刺突に耐えられず、先端がメッシュを突き抜ける。
本発明は金属素材の繊維を使用した織物と第２の織物とを交互に接着して積層した防刃性素材を実現したものである。金属素材の繊維を使用した織物は刃物による切断を防止する。またこれに第２の織物を強固に接着することにより、刃先が金属素材の繊維をかきわけて隙間を作ることを防止する。第２の織物と使用した接着剤とを組み合わせた抗張力が、刃先が金属素材の繊維をかきわけるときに発生する張力に耐えうるように第２の織物および接着剤を選定する。
【００７】  本発明ではメッシュと布地など第２の織物とを組み合わせ、刺突時にメッシュと布地とが互いに横ずれしないように強固に接着してなる構造としたことを特徴とする。メッシュの素材である細線を上記（２）の張力による破断を防止するに足る太さあるいは強度とする。
【００８】  メッシュと布地など第２の織物との接着に用いる接着剤は、線材間を接着して線材間の横ずれを防止するとともに、横ずれの原因になる張力を布地など第２の織物に伝え、布地など第２の織物の抗張力で線材の破断と横ずれとを防止する。
【発明の効果】
【００９】  第２の織物を通常の生活で用いる布地とすることにより、軽量でかつ通気性・吸湿性に優れたものが選定でき、これをメッシュに接着すれば、軽量、柔軟、薄手で、かつ通気性や吸湿性に優れた防刃衣を実現できる。
【０１０】  なおこの構造の防刃衣を重ねて用いれば、より強靭な防刃衣とすることができる。
【発明を実施するための最良の形態】
【０１１】  接着剤としては、引っ張り強度に優れ、柔軟性があるものが望ましい。伸びの大きな素材は刺突時にメッシュ押し広げへの効力が少ないので好ましくない。また伸びの極端に少ない、例えば澱粉系や膠などの蛋白系、あるいはシアノアクリレート系などの接着剤は接着後の柔軟性がなく、折損するので好ましくない。接着剤の使用初期形態としてフィルム状あるいは粉の熱可塑性樹脂、１液形あるいは２液形の液状接着剤が、その素材としては金属と繊維とに接着力を有する、たとえばナイロン系、ウレタン系、混合系などが使用できる。【０１２】  メッシュとしては柔軟で引っ張り強度に優れ、かつ刃物による切断が困難なものが好ましい。線径０．１ｍｍ前後のステンレス線を綾織にした金網を用いれば、１枚だけで刺突と切断に耐えられる防刃材が実現できる。線径が０．０５ｍｍ以下では１枚では性能が不十分で、複数枚を重ねて使用する必要がある。なお、メッシュ素材は０．１ｍｍ前後までの細径に伸線でき、かつこの伸線に柔軟性があるものであればステンレスに限定されず、他の金属であっても良い。【０１３】  布材としては引っ張り時に伸展性が少なく、引っ張り強度に優れ、使用する接着剤との親和性の高いものが好ましい。天然繊維では麻、木綿が好ましい。合成繊維では高強度の素材が多数存在する。
【実施例】
【０１４】  １２０メッシュ、線径０．０５ｍｍの綾織りステンレス金網の両面にナイロン系あるいはウレタン系の接着剤で木綿布を接着した構造により、アイスピックの刺突とカッターナイフの切断を防止できる。【０１５】  なお、ステンレス金網の線径が０．０５ｍｍよりも細い場合であっても、これを複数枚重ねて用いればさらに防刃性能が向上する。また、平織りでは同一メッシュ度の綾織りに比べて耐刺突性が劣る。【０１６】  なお、［特許文献１］には布などのシートまたはその片面に粒子をコーテングした構造が記載され、同文献の請求項２と３には「シート基材に金網を充填したシート」が記載されているが、充填方法の具体的な開示はない。
【産業上の利用可能性】
【０１７】  この防刃材は軽量で薄く、柔軟性に優れているので、これを通常の着衣に組み込んでも違和感がない。さらに、着装しても外観的に目立たないことから、警備業務のみならず日常業務にも使用できる防刃素材である。